(57)【特許請求の範囲】
【請求項１】
ワイヤモッコにおいて、ワイヤを編み込んだ正方形のメッシュの各辺の外側にワイヤの編み込んだ各辺の一部を底辺として共有する二等辺三角形の形状の耳を備えた耳付正方形形状のメッシュであること及び前記二等辺三角形の垂線が自身の底辺と交わる位置が正方形の辺の中点位置と同じであること並びに正方形のメッシュの対角線及び対向する前記耳の頂点を結ぶ線の合計４本の支持骨がメッシュを構成するワイヤよりも太いワイヤが通されていることに加えて前記耳付正方形形状の８つの頂点を上方に絞り上げることで茶巾袋状になることを特徴とするワイヤモッコ
【請求項２】
請求項１記載のワイヤモッコにおいて、前記４本の支持骨の長さが全て等しくかつ中点が前記耳付正方形形状のメッシュの中央位置で交わることを特徴とするワイヤモッコ
【請求項３】
請求項１または請求項２記載のワイヤモッコにおいて、前記耳付正方形形状のメッシュの各頂点に玉掛用ロープを通すためのリングが備えられていること並びに前記耳付正方形形状のメッシュに玉掛用ロープが４本取り付けられていること及びこれら４本が全て同じ向きで隣接する２つの頂点を通してその先の３つ目の頂点に結わえられていること及び隣接する玉掛用ロープの結び付け頂点が互いに１つ飛びの位置にあることを特徴とするワイヤモッコ
【請求項４】
請求項３記載のワイヤモッコの使用方法において、前記４本の玉掛用ロープの端部を１つに束ねて上方に引き上げることで茶巾袋の形状に整えて懸架することを特徴とするワイヤモッコの使用方法
【発明の詳細な説明】
【技術分野】
【０００１】本発明は工事現場等で鉄くずや機材等を運搬するためのワイヤモッコとその使用方法に関する。
【背景技術】
【０００２】  従来のワイヤモッコ１００は、図３に示す通りワイヤロープを編んだ正方形のメッシュ１０１とその四隅に玉掛用ロープ１０２が取り付けられたものである。前記ワイヤモッコに鉄くずや機材等を載せて、前記４本の玉掛用ロープをクレーンのフック等に掛けて持ち上げてビルの上層階に運び込むといった使い方がされている。ワイヤモッコについては、ワイヤが地面にこすれて劣化することを抑制するためにゴム製等のチューブでワイヤを覆うというアイデアが特許文献１に記載されている。特許文献１ではワイヤを覆うことについて工夫がなされているが、正方形のメッシュの四隅に玉掛用ロープが取り付けられた構造は同じである。特許文献２には、正方形のメッシュの編み方に工夫を凝らしたアイデアが示されている。一般的なワイヤモッコはマス目状に編み込んであるが、特許文献２ではマス目の中をチェーン環やチェーン環とリングで埋めることで目を小さくして細かなものでもこのワイヤモッコから落下しないようにしている。特許文献３には、支持骨をリング式にすることでワイヤモッコが着床した時に平面形状に展開しやすくする工夫が示されている。特許文献４ではワイヤモッコが地面にこすれて劣化するのをゴムを当てて防ぐアイデアが示されている。
【先行技術文献】
【特許文献】
【０００３】
【特許文献１】特開２０００−２８９９６９号公報
【特許文献２】特開２００１−２８７８８８号公報
【特許文献３】特開２００１−３３５２７８号公報
【特許文献４】特開２０１２−１７１５５号公報
【発明の概要】
【発明が解決しようとする課題】
【０００４】これまでのワイヤモッコは、正方形のメッシュを四隅に取り付けたワイヤで絞り上げて吊るしていたので４辺のそれぞれの真ん中部分がたるんで外側に広がって袋形状が崩れてしまいワイヤモッコの中の鉄くずや機材が落下してしまう懸念があった。このため、ワイヤモッコに鉄くずや機材を載せる作業を慎重の上にも慎重に行う必要があり、熟練者が時間をかけて載せることでコスト増、作業時間増の課題を抱えていた。
【課題を解決するための手段】
【０００５】本発明のワイヤモッコは、ワイヤを編み込んだ正方形のメッシュの各辺の外側にワイヤの編み込みで形成した各辺の一部を底辺として共有する二等辺三角形の形状の耳を備えた耳付正方形形状のメッシュであること及び前記二等辺三角形の垂線が自身の底辺と交わる位置が正方形の辺の中点位置と同じであること並びに正方形のメッシュの対角線及び対向する前記耳の頂点を結ぶ線の合計４本の支持骨がメッシュを構成するワイヤよりも太いワイヤが通されていることを第１の特徴とし、
前記第１の特徴に加えて、前記４本の支持骨の長さが全て等しくかつ中点が前記耳付正方形状のメッシュの中央位置で交わることを特徴として、
前記第１又は第２の特徴に加えて、前記耳付正方形状のメッシュの各頂点に玉掛用ロープを通すためのリングが備えられていること並びに前記耳付正方形状のメッシュに玉掛用ロープが４本取り付けられていること及びこれら４本が全て同じ向きで隣接する２つの頂点を通してその先の３つ目の頂点に結わえられていること及び隣接する玉掛用ロープの結び付け頂点が互いに１つ飛びの位置にあることを第３の特徴とし、
前記第３の特徴に加えて、前記４本の玉掛用ロープの端部を１つに束ねて上方に引き上げることで茶巾袋の形状に整えて懸架する使用方法を第４の特徴とする。
【発明の効果】
【０００６】  本発明のワイヤモッコは、正方形の各辺に耳を備えた形状のメッシュであることによって、各頂点を上方に絞り上げた場合に茶巾袋のように中身を包み込む形状になる。このことで、ワイヤモッコを懸架中に中身がこぼれ落ちる懸念が軽減される。また、支持骨が４本備えられていることで着床し各頂点を絞り上げていた力が緩んだ際にメッシュが速やかに開いて中身を取り出す作業を迅速に行える。このメッシュが速やかに開くことについて詳しく説明する。支持骨はワイヤモッコを構成する他のワイヤと比べて太く弾性が強いものを用いており、この４本の支持骨が互いの中点を同じ位置で交わり、また隣接した支持骨同士が４５度の角度にあるので、ワイヤモッコを常に平面状に展開した形にしようとする力が働いている。このため、絞り上げる力が緩めば速やかにメッシュが広がっていく。この支持骨は広がること以外に袋形状を整えることにも役立っている。積荷が偏って搭載されたことでモッコが袋形状になった際にどこか一部に偏った力が加わった場合にその力が加わった位置近傍の支持骨が大きく反発するので偏って搭載された積荷の位置がずれ戻されて積荷の偏りが是正されることにも役立っている。玉掛用ロープが２つの頂点端のリングを通して３つ目の頂点に結ばれていることで、前記玉掛用ロープを絞り上げた場合に頂点の個数よりも少ない玉掛用ロープの本数によってワイヤモッコを効果的に茶巾袋形状にすることができる。
【図面の簡単な説明】
【０００７】
【図１】本発明のワイヤモッコの平面図である。
【図２】本発明のワイヤモッコの（１）着床状態と（２）懸架状態のそれぞれの側面図である。
【図３】従来のワイヤモッコの平面図である。
【発明を実施するための形態】
【０００８】
【実施例】
【０００９】  本発明の実施例を図１及び図２を用いて説明する。図１は本発明のワイヤモッコ１の平面図である。ワイヤを編むことで形成した正方形状のメッシュ２と４辺のそれぞれに取り付けられた二等辺三角形状の耳３によって構成されたものを耳付メッシュ４と呼ぶことにする。図１の実施例では耳は直角二等辺三角形であり、かつ、この頂点は正方形の中心と同じ位置を中心としてこの正方形の頂点を４５度回転させた位置と一致させてある。【００１０】  この耳付メッシュにはメッシュを主に構成するワイヤよりも太い４本の支持骨５が編み込まれている。４本のうち２本は正方形の対角線位置であり、他の２本は対向する直角二等辺三角形の頂点を結ぶ位置である。これら４本の支持骨は正方形の中心位置で交わっている。４本の支持骨は弾性があるので耳付メッシュは４本の支持骨によって平らになろうとする力が常に加わっている。【００１１】  この耳付メッシュの８つの頂点にはリング６が取り付けられている。このリングは玉掛用ロープ７を通すためのものである。この実施例では玉掛用ロープを４本取り付けてある。４本それぞれの玉掛用ロープは前記リングのそれぞれ０時、３時、６時、９時の位置で結び付けてある。そして、０時の位置に結び付けられた玉掛用ロープは１時半と３時のリングに通されており、３時のリングを通したその先は他の３本と束ねてフックに掛けられることになる。３時の位置に結び付けられた玉掛用ロープは４時半と６時のリングに、６時の位置に結び付けられた玉掛用ロープは７時半と９時のリングに、９時の位置に結び付けられた玉掛用ロープは１０時半と０時のリングに通されて、同様にそれぞれ他の３本と１つに束ねられている。【００１２】  図２には、図１のワイヤモッコの（１）着床した状態と（２）懸架した状態の２つの状態の側面図を示す。（１）は床１０３の上にワイヤモッコ１の耳付メッシュ４が置かれた状態である。玉掛用ロープ７の絞り上げが少し緩んだ状態でリングと結び目間部分の玉掛用ロープ７’の長さが長くなって、耳付メッシュが開きかけている。耳対メッシュは単に重力の力だけで開いているのではなく、支持骨５がまっすぐになろうとする弾性力によって積極的に開かれつつある状態である。【００１３】  図２の（２）はワイヤモッコ１が床から離れて懸架されている状態である。耳付メッシュ４が玉掛用ロープ７の絞り上げで茶巾袋の形状になっている。これは絞り上げによってリングと結び目間部分の玉掛用ロープ７’の長さが短くなり、８つの頂点が１つの場所に集められたことによる。【００１４】  図１のワイヤモッコの製造方法の一例を説明する。最初に４辺とそれぞれ並行な格子状のメッシュを有する正方形を製作し、次に前記格子状のメッシュを有する正方形とまったく同じ形状の正方形の枠、つまり四辺のみのワイヤフレームを作成し、前記格子状のメッシュを有する正方形の中心と同じ位置を中心としてこの正方形の頂点を４５度回転させて配置する。次に耳の部分を通る支持骨を背骨と見立てて、この背骨から垂直方法にワイヤを通し、支持骨と前記ワイヤフレームのそれぞれの箇所でワイヤを編み込んで固定する。図１の例では支持骨と垂直方向に２本のワイヤを通して編み込んである。【００１５】
【産業上の利用可能性】
【００１６】  本発明のワイヤモッコは、金属くずや機材等を工事現場などで運搬するために使用される。
【符号の説明】
【００１６】１    ワイヤモッコ
２    正方形状のメッシュ
３    耳
４    耳付メッシュ
５    支持骨
６    リング
７    玉掛用ロープ
７’  リングと結び目間部分の玉掛用ロープ
１００  従来のワイヤモッコ
１０１  メッシュ
１０２  ４懸架玉掛用ロープ
【図１】
0005984070.tif 000002
【図２】
0005984070.tif 000003
【図３】
0005984070.tif 000004